(57)【要約】【課題】過電圧が印加されても、部品がダメージを受けることを抑制することができる電源装置を提供する。【解決手段】電源装置は、電力を供給する電力供給部７１と、電力を蓄えることが可能なコンデンサー７２と、電力供給部７１とコンデンサー７２とを電気的に接続する接続状態と、電力供給部７１とコンデンサー７２とを電気的に遮断する遮断状態と、に状態変更可能な接続部７３と、接続部７３の状態を変更する接続制御部７４と、を備え、接続制御部７４は、コンデンサー７２に印加される電力の電圧が所定の監視電圧Ｖｏｆｆを上回った場合に、接続部７３を遮断状態とする。【選択図】図３
2017046370.tif 000002
【特許請求の範囲】
【請求項１】
電力を供給する電力供給部と、
前記電力を蓄えることが可能なコンデンサーと、
前記電力供給部と前記コンデンサーとを電気的に接続する接続状態と、前記電力供給部と前記コンデンサーとを電気的に遮断する遮断状態と、に状態変更可能な接続部と、
前記接続部の状態を変更する接続制御部と、を備え、
前記接続制御部は、前記コンデンサーに印加される前記電力の電圧が所定の監視電圧を上回った場合に、前記接続部を前記遮断状態とすることを特徴とする電源装置。
【請求項２】
請求項１に記載の電源装置であって、
前記接続制御部が前記接続部を前記遮断状態にした後に、前記電力供給部から供給される前記電力の電圧が前記監視電圧を下回った場合においても、前記接続制御部が前記接続部の前記遮断状態を継続させることを特徴とする電源装置。
【請求項３】
請求項１または２に記載の電源装置であって、
前記接続制御部が前記接続部を前記遮断状態にした後に、前記電力供給部から供給される前記電力の電圧が前記監視電圧を下回り、更に、前記電力供給部から供給される前記電力の電圧と、前記コンデンサーに蓄えられた前記電力の電圧との差異が所定の電圧を下回った場合に、前記接続制御部が前記接続部を前記接続状態に復帰させることを特徴とする電源装置。
【請求項４】
請求項１または２に記載の電源装置であって、
前記接続制御部が前記接続部を前記遮断状態にした後に、前記電力供給部から供給される前記電力の電圧が前記監視電圧を下回り、更に、所定の電圧を下回った場合に、前記接続制御部が前記接続部を前記接続状態に復帰させることを特徴とする電源装置。
【請求項５】
請求項１または２に記載の電源装置であって、
前記接続制御部が前記接続部を前記遮断状態にしたときから所定の時間経過後に、前記接続制御部が前記接続部を前記接続状態に復帰させることを特徴とする電源装置。
【請求項６】
請求項１から請求項５のいずれか一項に記載の電源装置を備えることを特徴とする印刷装置。
【請求項７】
電力を供給する電力供給部と、前記電力を蓄えることが可能なコンデンサーと、前記電力供給部と前記コンデンサーとを電気的に接続する接続状態と、前記電力供給部と前記コンデンサーとを電気的に遮断する遮断状態と、に状態変更可能な接続部と、を備えた電源装置における前記電力供給部と前記コンデンサーとの電力接続方法であって、
前記コンデンサーに印加される前記電力の電圧が所定の監視電圧を上回った場合に、前記接続部を前記遮断状態とすることを特徴とする電力接続方法。
【発明の詳細な説明】
【技術分野】
【０００１】
本発明は、電源装置、該電源装置を備えた印刷装置、および電源装置における電力接続方法に関する。
【背景技術】
【０００２】
商用の交流電力で稼動する装置は、交流電力を直流電力に変換する電源装置を備えている場合が多い。また、この電源装置には、交流電力の入力部に過電圧が入力されても、内部の回路を保護することができる保護手段が備えられている場合が多い。
例えば、特許文献１には、過電圧検出回路とスイッチング停止回路とを備え、所定値以上の入力電圧を検出すると、スイッチング動作を停止するスイッチング電源装置が記載されている。
【先行技術文献】
【特許文献】
【０００３】
【特許文献１】特開２００５−２１０８４９号公報
【発明の概要】
【発明が解決しようとする課題】
【０００４】
しかしながら、特許文献１に記載のスイッチング電源装置では、インプットコンデンサー（平滑用コンデンサー）には過電圧が印加されるため、想定を上回る過電圧が印加されると、インプットコンデンサーがダメージを受け、故障してしまう場合があるという問題があった。
【課題を解決するための手段】
【０００５】
本発明は、上述の課題の少なくとも一部を解決するためになされたものであり、以下の適用例または形態として実現することが可能である。
【０００６】
［適用例１］  本適用例に係る電源装置は、電力を供給する電力供給部と、前記電力を蓄えることが可能なコンデンサーと、前記電力供給部と前記コンデンサーとを電気的に接続する接続状態と、前記電力供給部と前記コンデンサーとを電気的に遮断する遮断状態と、に状態変更可能な接続部と、前記接続部の状態を変更する接続制御部と、を備え、前記接続制御部は、前記コンデンサーに印加される前記電力の電圧が所定の監視電圧を上回った場合に、前記接続部を前記遮断状態とすることを特徴とする。
【０００７】
本適用例によれば、コンデンサーが監視電圧を上回る過電圧によってダメージを受けることを抑制することができる。
【０００８】
［適用例２］  上記適用例に係る電源装置において、前記接続制御部が前記接続部を前記遮断状態にした後に、前記電力供給部から供給される前記電力の電圧が前記監視電圧を下回った場合においても、前記接続制御部が前記接続部の前記遮断状態を継続させることを特徴とする。
【０００９】
本適用例によれば、接続制御部が接続部を接続状態に復帰させる際、電力供給部から供給される電力の電圧が監視電圧を下回ったとたんに電力供給部とコンデンサーとが接続されることがないため、コンデンサーに対する突入電流が抑制され、コンデンサーや接続する回路にダメージを与えてしまうことを抑制することができる。
【００１０】
［適用例３］  上記適用例に係る電源装置において、前記接続制御部が前記接続部を前記遮断状態にした後に、前記電力供給部から供給される前記電力の電圧が前記監視電圧を下回り、更に、前記電力供給部から供給される前記電力の電圧と、前記コンデンサーに蓄えられた前記電力の電圧との差異が所定の電圧を下回った場合に、前記接続制御部が前記接続部を前記接続状態に復帰させることを特徴とする。
【００１１】
本適用例によれば、接続制御部が接続部を接続状態に復帰させる際、接続される電力供給部とコンデンサーとの電位差が所定の電圧を下回った場合に接続されるため、コンデンサーに対する突入電流が抑制され、コンデンサーや接続する回路にダメージを与えてしまうことを抑制することができる。
【００１２】
［適用例４］  上記適用例に係る電源装置において、前記接続制御部が前記接続部を前記遮断状態にした後に、前記電力供給部から供給される前記電力の電圧が前記監視電圧を下回り、更に、所定の電圧を下回った場合に、前記接続制御部が前記接続部を前記接続状態に復帰させることを特徴とする。
【００１３】
本適用例によれば、接続制御部が接続部を接続状態に復帰させる際、電力供給部から供給される電力の電圧が監視電圧を下回り、更に、所定の電圧を下回った場合に接続されるため、コンデンサーに対する突入電流が抑制され、コンデンサーや接続する回路にダメージを与えてしまうことを抑制することができる。
【００１４】
［適用例５］  上記適用例に係る電源装置において、前記接続制御部が前記接続部を前記遮断状態にしたときから所定の時間経過後に、前記接続制御部が前記接続部を前記接続状態に復帰させることを特徴とする。
【００１５】
本適用例によれば、接続制御部が接続部を接続状態に復帰させる際、接続部を遮断状態にしたときから所定の時間が経過した後に電力供給部とコンデンサーとが接続されるため、接続される電力供給部とコンデンサーとの電位差がより小さくなった状態でこれらの接続を行うことが可能となる。その結果、コンデンサーに対する突入電流が抑制され、コンデンサーや接続する回路にダメージを与えてしまうことを抑制することができる。
【００１６】
［適用例６］  本適用例に係る印刷装置は、上記適用例に係る電源装置を備えることを特徴とする。
【００１７】
本適用例によれば、印刷装置が上記適用例に係る電源装置を備えることにより、コンデンサーが監視電圧を上回る過電圧によってダメージを受けることを抑制することができる。
【００１８】
［適用例７］  本適用例に係る電力接続方法は、電力を供給する電力供給部と、前記電力を蓄えることが可能なコンデンサーと、前記電力供給部と前記コンデンサーとを電気的に接続する接続状態と、前記電力供給部と前記コンデンサーとを電気的に遮断する遮断状態と、に状態変更可能な接続部と、を備えた電源装置における前記電力供給部と前記コンデンサーとの電力接続方法であって、前記コンデンサーに印加される前記電力の電圧が所定の監視電圧を上回った場合に、前記接続部を前記遮断状態とすることを特徴とする。
【００１９】
本適用例によれば、コンデンサーが監視電圧を上回る過電圧によってダメージを受けることを抑制することができる。
【図面の簡単な説明】
【００２０】
【図１】実施形態１に係る「印刷装置」としてのプリンターの斜視図
【図２】実施形態１に係る「印刷装置」としてのプリンターのブロック図
【図３】実施形態１に係る「電源装置」としての電源部のブロック図
【図４】電源部内各部の電圧波形を示すグラフ
【図５】実施形態２に係る「電源装置」としての電源部のブロック図
【図６】実施形態２に係る電源部内各部の電圧波形を示すグラフ
【図７】実施形態３に係る「電源装置」としての電源部のブロック図
【図８】実施形態３に係る電源部内各部の電圧波形を示すグラフ
【図９】変形例１に係る「電源装置」としての電源部のブロック図
【発明を実施するための形態】
【００２１】
以下に本発明を具体化した実施形態について、図面を参照して説明する。以下は、本発明の一実施形態であって、本発明を限定するものではない。なお、以下の各図においては、説明を分かりやすくするため、実際とは異なる尺度で記載している場合がある。また、図面に付記する座標においては、Ｚ軸方向が鉛直方向、＋Ｚ方向が上方向、Ｙ軸方向が前後方向、＋Ｙ方向が手前方向、Ｘ軸方向が左右方向、＋Ｘ方向が左方向、Ｘ−Ｙ平面が水平面としている。
【００２２】
（実施形態１）
＜印刷装置＞
図１は、実施形態１に係る「印刷装置」としてのプリンター１００の斜視図、図２は、プリンター１００の構成を示すブロック図である。
プリンター１００は、例えば、ＪＩＳ規格のＡ０判やＢ０判などといった比較的大きなサイズの印刷媒体（用紙）に印刷が可能な大型のインクジェット式プリンターである。印刷媒体（図１に示すロール紙１）は、ロール状に巻かれた状態で供給される。
【００２３】
プリンター１００は、印刷部１０、搬送部２０、記憶部３０、制御部４０、操作パネル５０、検出部６０（図２参照）、「電源装置」としての電源部７０などを含む装置本体２と、装置本体２を載置するスタンド３から構成されている。
【００２４】
印刷部１０は、ロール紙１の表面にインクを吐出して画像を形成（印刷）するインクジェットヘッド（以下ヘッド１１と言う）、Ｘ軸方向に延在するように設けられたガイド軸１２、ヘッド１１を支持し、ガイド軸１２に沿ってロール紙１の表面上を走査移動させるキャリッジ１３などを備えている。
【００２５】
記憶部３０は、ハードディスクドライブ（ＨＤＤ）やメモリーカードなどの書き換え可能な記憶媒体である。記憶部３０には、制御部４０が動作するソフトウェア（プログラム）や印刷ジョブなどが記憶される。
印刷ジョブは、印刷を実行させるための一連の要求情報（印刷用の印刷データを含む制御コマンドなど）であり、記憶部３０にスプールさせることができる。スプールされた印刷ジョブは、必要に応じて並び替えられた実行順に応じて実施される。
【００２６】
制御部４０は、インターフェイス部４１、ＣＰＵ４２、メモリー４３、駆動制御部４４などを備え、プリンター１００全体の集中制御を行う。
インターフェイス部４１は、外部機器（例えばパーソナルコンピューター）とプリンター１００との間でデータの送受信を行う。
ＣＰＵ４２は、プリンター１００全体の制御を行うための演算処理装置である。
メモリー４３は、ＣＰＵ４２が動作するプログラムを格納したり、必要な情報を記録したりする領域であり、ＲＡＭ、ＲＯＭ、フラッシュメモリーなどの記憶素子で構成される。
【００２７】
ＣＰＵ４２は、記憶部３０やメモリー４３に格納されているプログラムや印刷ジョブなどに従って、駆動制御部４４や、検出部６０を、また、駆動制御部４４を介し、印刷部１０、搬送部２０などを制御する。
操作パネル５０は、ヒューマンインターフェースとしての入出力部であり、表示手段と入力手段とを備え、制御部４０に対する指示や動作の選択、制御部４０の動作における必要な制御情報の表示などを行うことができる。
【００２８】
検出部６０は、印刷部１０、搬送部２０など、装置本体２内部の所定の箇所に設けられた複数の検出機器群（例えば、リニア式エンコーダー、ロータリー式エンコーダー、光学センサーなど）から成り、プリンター１００内の稼動状況を検出（監視）し、その検出結果を制御部４０に通知する。具体的には、ガイド軸１２に沿って走査移動するキャリッジ１３の位置、搬送部２０におけるロール紙１の幅方向（図１におけるＸ軸方向）のセット位置や搬送状況（ジャムの有無など）、ロール紙１の有無や残量、印刷部１０におけるインクの有無や残量などを監視する。
【００２９】
搬送部２０は、装置本体２の内部に格納した印刷前のロール紙１を印刷部１０に供給し、印刷が行われた後に、切り離して排出するまでの搬送機構および経路を構成している。搬送部２０によって印刷部１０に供給されたロール紙１に対し、制御部４０は、ガイド軸１２に沿ってヘッド１１を支持するキャリッジ１３を走査方向（Ｘ軸方向）移動させながらヘッド１１からインク滴を吐出する動作と、搬送部２０により走査方向（Ｘ軸方向）と交差する搬送方向（＋Ｙ方向）にロール紙１を移動させる動作とを交互に繰り返すことにより、ロール紙１に所望の画像を形成（印刷）する。
【００３０】
＜電源装置＞
図３は、本実施形態を特徴付ける「電源装置」としての電源部７０のブロック図である。
電源部７０は、外部電源から供給される交流電力を直流電力としてプリンター１００の各所に供給する電源装置であり、電力供給部７１、コンデンサー７２、接続部７３、接続制御部７４、電力出力部７５などから構成されている。
【００３１】
電力供給部７１は、外部の交流電源から供給される電力を直流電力に変換する回路部であり、４つのダイオードで構成するブリッジ整流回路７１１と、ブリッジ整流回路７１１の出力を昇圧する昇圧回路７１２などから構成される。電力供給部７１は、電源装置内に電力を供給する役割を果たしている。つまり、電源装置は、電力を供給する電力供給部７１を備えている。
【００３２】
コンデンサー７２は、接続部７３を介して電力供給部７１に接続されており、直流電力を蓄えることができる。コンデンサー７２は、電力供給部７１の出力を平滑化する平滑化コンデンサーである。コンデンサー７２には、好適例としてアルミ電解コンデンサーを使用している。まとめると、電源装置は、電力を蓄えることが可能なコンデンサー７２を備えている。
【００３３】
接続部７３は、電力供給部７１の出力とコンデンサー７２との電気的な接続および遮断が可能なＦＥＴ（field-effect transistor）である。
なお、接続部７３には、図３に示すように、コンデンサー７２から電力供給部７１に向かう方向が順方向となるように、両端部に跨るダイオード７６を接続しても良い。電力供給部７１の出力とコンデンサー７２とは、ダイオード７６を介して順方向あるいは逆方向に常時電気的に接続されているが、ここでは、接続部７３を構成するＦＥＴのＯｎ／Ｏｆｆをもって、接続部７３の接続／遮断と言う。言い換えれば、接続部７３は、電力供給部７１とコンデンサー７２とを電気的に接続する接続状態と、電力供給部７１とコンデンサー７２とを電気的に遮断する遮断状態と、に状態変更可能である。つまり、電源装置は、電力供給部７１とコンデンサー７２とを電気的に接続する接続状態と、電力供給部７１とコンデンサー７２とを電気的に遮断する遮断状態と、に状態変更可能な接続部７３を備えている。
【００３４】
接続制御部７４は、接続部７３の制御（接続および遮断）を行う回路部である。換言すれば、電源装置は、接続部７３の状態を変更する接続制御部７４を備えている。接続制御部７４は、供給電圧検知部７４１、コンデンサー電圧検知部７４２、タイミング制御部７４３、駆動部７４４などから構成されている。接続制御部７４の具体的な機能については後述する。
【００３５】
電力出力部７５は、コンデンサー７２によって平滑化された直流電力を、電源部７０に接続される負荷１，２のそれぞれに対応した電圧に降圧する絶縁型ＤＣ‐ＤＣコンバーターである。
負荷１には、制御部４０（図２参照）や接続制御部７４などに含まれる比較的低電圧のロジック制御系回路が接続される。
負荷２には、例えば、印刷部１０、搬送部２０（図２参照）などの比較的高電圧の駆動系負荷が接続される。
なお、電力出力部７５から負荷１や負荷２に出力する直流電力の電圧がそれほど高い電圧を必要としない場合には、必ずしも、電力供給部７１に昇圧回路７１２を設ける必要がない。
【００３６】
このような構成の電源部７０において、外部の交流電源から過電圧の交流電力が供給された場合に、コンデンサー７２に定格電圧を超える過電圧が印加されると、コンデンサー７２が故障して、プリンター１００に必要な電力の供給ができなくなる場合がある。特に、平滑化コンデンサーに好適なアルミ電解コンデンサーにおいては、その傾向が顕著であり、過電圧が印加されると、電解液のガス化により内圧が上昇し、アルミ電解コンデンサーに備えられた防爆弁が開弁して電解液が流出してしまう場合がある。また、開弁に至らなくとも、定格電圧を越えて印加される時間やその頻度が増したり、プリンター１００が著しく気温の高い使用環境に置かれたりする場合などにおいては、電解液のガス化による電解液の消失に伴う静電容量の低下が見られ、電源部７０は必要な機能を失う。
【００３７】
これに対し、本実施形態の電源部７０は、接続部７３と接続制御部７４とを設けることにより、外部の交流電源から過電圧の交流電力が供給された場合であっても、コンデンサー７２に定格電圧を超える過電圧が印加されないように構成にしている。また、交流電源が適切な供給状態に戻った場合には、速やかに接続が復帰できるように構成している。以下に具体的に説明する。
【００３８】
接続制御部７４は、接続部７３の接続および遮断を制御する回路部であり、接続制御部７４が有する機能により、本実施形態を特徴付ける電力接続方法を実現している。接続制御部７４は、前述したように、供給電圧検知部７４１、コンデンサー電圧検知部７４２、タイミング制御部７４３、駆動部７４４などの回路から構成されている。
【００３９】
供給電圧検知部７４１は、電力供給部７１の出力電圧を検知し、タイミング制御部７４３に通知する。
コンデンサー電圧検知部７４２は、コンデンサー７２の電圧を検知し、タイミング制御部７４３に通知する。
タイミング制御部７４３は、供給電圧検知部７４１が検知した電力供給部７１の出力電圧、コンデンサー電圧検知部７４２が検知したコンデンサー７２の電圧、および、これらの電圧との比較制御を行うための基準電圧に基づき、駆動部７４４の駆動タイミングを制御する。
駆動部７４４は、接続部７３が備えるＦＥＴのゲート電位を駆動する回路部であり、タイミング制御部７４３の制御に従い、接続部７３の接続および遮断を行う。
【００４０】
タイミング制御部７４３が有する基準電圧は、接続部７３を遮断する基準となる所定の監視電圧Ｖｏｆｆ、電力供給部７１の出力電圧とコンデンサー７２の電圧との差異に基づく制御の基準となる所定の電圧としての基準電圧Ｖｄｅｆ１、電力供給部７１の出力電圧と接地電位ＧＮＤ１との差異に基づく制御の基準となる所定の電圧としての基準電圧Ｖｄｅｆ２などがある。監視電圧Ｖｏｆｆ、基準電圧Ｖｄｅｆ１、基準電圧Ｖｄｅｆ２は、コンデンサー７２の定格電流、定格電圧、最大定格電圧などに基づき適宜設定する。
【００４１】
タイミング制御部７４３は、供給電圧検知部７４１が検知した電力供給部７１の出力電圧が、監視電圧Ｖｏｆｆを上回った時に、駆動部７４４を駆動し接続部７３を遮断する。言い換えれば、接続制御部７４は、コンデンサー７２に印加される電力の電圧が所定の監視電圧Ｖｏｆｆを上回った場合に、接続部７３を遮断状態とする。これにより、コンデンサー７２が監視電圧Ｖｏｆｆを上回る過電圧によってダメージを受けることを抑制することができる。
また、電力供給部７１の出力電圧が監視電圧Ｖｏｆｆを下回った場合においても、接続制御部７４が接続部７３の遮断状態を継続する。換言すれば、接続制御部７４が接続部７３を遮断状態にした後に、電力供給部７１から供給される電力の電圧が監視電圧Ｖｏｆｆを下回った場合においても、接続制御部７４が接続部７３の遮断状態を継続させる。更に、電力供給部７１の出力電圧とコンデンサー７２に蓄えられた直流電力の電圧との差異が所定の基準電圧Ｖｄｅｆ１を下回った場合に、駆動部７４４を駆動し、接続部７３の接続を復帰する。つまり、接続制御部７４が接続部７３を遮断状態にした後に、電力供給部７１から供給される電力の電圧が監視電圧Ｖｏｆｆを下回り、更に、電力供給部７１から供給される電力の電圧と、コンデンサー７２に蓄えられた電力の電圧との差異が所定の電圧を下回った場合に、接続制御部７４が接続部７３を接続状態に復帰させる。
【００４２】
図４は、電源部７０内の各部の電圧波形を示すグラフである。図４のグラフを参照して、接続制御部７４の機能、すなわち、電力供給部７１とコンデンサー７２との電力接続方法を説明する。
図４において、Ｖ１は、電力供給部７１の出力波形である。説明を簡単にするため、無負荷の場合の電力供給部７１からの出力波形を示している。以下、電力供給部７１の出力電圧をＶ１と言う。
Ｖ２は、このＶ１波形に対応したコンデンサー７２の電圧波形である。すなわち、コンデンサー７２によって、Ｖ１が平滑化された波形を示している。以下、コンデンサー７２の電圧をＶ２と言う。
また、Ｖ３は、タイミング制御部７４３によって制御された、接続部７３の接続状態と遮断状態と（つまりは、ＦＥＴのＯｎ／Ｏｆｆ）を切り替える駆動部７４４の出力波形である。以下、駆動部７４４の出力電圧をＶ３と言う。
【００４３】
Ｖ１の１つ目の山、および３つ目の山は、外部電源から正常な電圧の交流電力が供給された場合の正常な出力（コンデンサー７２に対する正常な入力）を示している。Ｖ２は、わずかなリップルを残し、平滑化されている。
Ｖ１の２つ目の山は、外部電源から異常な過電圧が供給され、Ｖ１が異常な過電圧になった様子を示している。Ｖ２は、これに追随して高くなるが、供給電圧検知部７４１（あるいは、コンデンサー電圧検知部７４２）が、監視電圧Ｖｏｆｆを上回る電圧を検知しタイミング制御部７４３に通知すると、タイミング制御部７４３は、駆動部７４４を駆動し（Ｖ３がＯｎからＯｆｆとなり）、接続部７３を遮断する。
【００４４】
接続部７３が遮断されると、コンデンサー７２は、電力出力部７５を介して接続された負荷により放電することで、徐々にその電圧（Ｖ２）が低くなる。一方、ピーク電圧を過ぎたＶ１は、徐々に電圧が下がり、やがて、監視電圧Ｖｏｆｆを下回る。供給電圧検知部７４１は、これを検知しタイミング制御部７４３に通知しているが、タイミング制御部７４３は、接続部７３の遮断状態を維持する。
【００４５】
タイミング制御部７４３は、更にＶ１の電圧が下がり、Ｖ１とＶ２との電位差（以下ΔＶｄと言う）が基準電圧Ｖｄｅｆ１を下回った場合に、駆動部７４４を駆動し（Ｖ３がＯｆｆからＯｎからとなり）、接続部７３を接続する。
つまり、図４に示すように、Ｖ１が監視電圧Ｖｏｆｆを下回ったタイミングでのＶ２との電位差（ΔＶｄ＝ΔＶｄ１）では、Ｖｄｅｆ１を上回る（ΔＶｄ１≧Ｖｄｅｆ１）ため、接続部７３の接続を行わず、Ｖ１とＶ２との電位差が基準電圧Ｖｄｅｆ１を下回った（ΔＶｄ＝ΔＶｄ２＜Ｖｄｅｆ１）タイミングで接続部７３を接続する。
【００４６】
上述したように、本実施形態は、電源装置を備える印刷装置に適用可能である。また、本実施形態に係る電力接続方法についてまとめると、電力を供給する電力供給部７１と、電力を蓄えることが可能なコンデンサー７２と、電力供給部７１とコンデンサー７２とを電気的に接続する接続状態と、電力供給部７１とコンデンサー７２とを電気的に遮断する遮断状態と、に状態変更可能な接続部７３と、を備えた電源装置における電力供給部７１とコンデンサー７２との電力接続方法であって、コンデンサー７２に印加される電力の電圧が所定の監視電圧Ｖｏｆｆを上回った場合に、接続部７３を遮断状態とすることを特徴とする電力接続方法である。これにより、コンデンサー７２が監視電圧Ｖｏｆｆを上回る過電圧によってダメージを受けることを抑制することができる。
以上述べたように、本実施形態による電源装置、印刷装置、および電力接続方法によれば、以下の効果を得ることができる。
本実施形態によれば、コンデンサー７２に印加される直流電力の電圧（Ｖ１）が所定の監視電圧Ｖｏｆｆを上回った場合に、電力供給部７１の出力とコンデンサー７２とを接続する接続部７３が遮断されるため、交流電源から過電圧の電力が供給された際に、コンデンサー７２が監視電圧Ｖｏｆｆを上回る過電圧によってダメージを受けることを抑制することができる。また、接続部７３の接続および遮断を制御する接続制御部７４を備えるため、接続部７３が遮断された後の復帰を、つまりは、電源部７０の機能の復帰をより簡便に行うことができる。
【００４７】
また、接続部７３を遮断した後、電力供給部７１から出力される電圧が監視電圧Ｖｏｆｆを下回った場合においても、接続制御部７４が接続部７３の遮断状態を継続する。
接続制御部７４が接続部７３の接続を遮断すると、コンデンサー７２に蓄えられた直流電力が徐々に放電することによって、コンデンサー７２の電圧が監視電圧Ｖｏｆｆ以下に低下する。そのため、電力供給部７１から出力される電圧が監視電圧Ｖｏｆｆを下回った場合であっても、電力供給部７１の出力電圧とコンデンサー７２の電圧との間に電位差が生じる場合がある。電位差が有る状態でこれらの接続を行うと、コンデンサー７２に対して突入電流が流れ、その大きさによっては、コンデンサー７２や接続する回路にダメージを与えてしまう場合がある。
本実施形態によれば、接続制御部７４が接続部７３の接続を復帰する際、電力供給部７１から出力される電圧が監視電圧Ｖｏｆｆを下回ったとたんに電力供給部７１の出力とコンデンサー７２とが接続されることがないため、コンデンサー７２に対する突入電流が抑制され、コンデンサー７２や接続する回路にダメージを与えてしまうことを抑制することができる。
【００４８】
また、接続制御部７４が接続部７３の接続を復帰する際、接続される電力供給部７１の出力とコンデンサー７２との電位差が所定の電圧（基準電圧Ｖｄｅｆ１）を下回った場合に接続されるため、コンデンサー７２に対する突入電流が抑制され、コンデンサー７２や接続する回路にダメージを与えてしまうことを抑制することができる。
【００４９】
また、プリンター１００が電源部７０を備えることにより、交流電源から過電圧の電力が供給された際に、電源部７０がダメージを受けることを抑制することができる。また、電源部７０の機能の復帰をより簡便に行うことができるため、より簡便にプリンター１００を再起動させることができる。
【００５０】
なお、供給電圧検知部７４１、コンデンサー電圧検知部７４２、タイミング制御部７４３は、コンパレータなどの電圧比較器や抵抗などの受動素子、および必要に応じロジック回路で構成することができるがこれに限定するものではない。例えば、供給電圧検知部７４１、コンデンサー電圧検知部７４２がＡＤ変換機能を有し、タイミング制御部７４３が供給電圧検知部７４１、コンデンサー電圧検知部７４２が検知した結果から得られるデジタル情報を演算するＣＰＵなどを備え、演算結果によって駆動部７４４を制御する構成であっても良い。また、接続部７３は、ＦＥＴではなく、リレーなどのスイッチング機器やトライアックなどの半導体素子を用いて構成しても良い。
【００５１】
（実施形態２）
次に、実施形態２に係る電源装置について説明する。なお、説明にあたり、上述した実施形態と同一の構成部位については、同一の符号を使用し、重複する説明は省略する。
図５は、実施形態２に係る「電源装置」としての電源部７０ａのブロック図である。
電源部７０ａは、電力供給部７１、コンデンサー７２、接続部７３、接続制御部７４ａ、電力出力部７５などから構成されている。つまり、接続制御部７４ａの構成およびその機能が接続制御部７４と異なる点を除き、電源部７０ａは、電源部７０と同じである。
【００５２】
接続制御部７４ａは、供給電圧検知部７４１、タイミング制御部７４３、駆動部７４４などから構成されている。つまり、接続制御部７４ａは、接続制御部７４が備えていたコンデンサー電圧検知部７４２を備えていない。
【００５３】
電源部７０ａは、接続制御部７４ａが接続部７３の接続を遮断した後に、電力供給部７１から出力される電圧が監視電圧Ｖｏｆｆを下回り、更に、所定の電圧（基準電圧Ｖｄｅｆ２）を下回った場合に、接続制御部７４ａが接続部７３の接続を復帰することを特徴としている。基準電圧Ｖｄｅｆ２は、電力供給部７１の出力電圧（Ｖ１）と接地電位ＧＮＤ１との差異に基づく制御の基準となる所定の電圧である。
【００５４】
図６は、電源部７０ａ内の各部の電圧波形を示すグラフである。図６のグラフを参照して、接続制御部７４ａの機能、すなわち、電力供給部７１とコンデンサー７２との電力接続方法を説明する。
【００５５】
Ｖ１の１つ目の山、および３つ目の山は、外部電源から正常な電圧の交流電力が供給された場合の正常な出力（コンデンサー７２に対する正常な入力）を示している。Ｖ２は、わずかなリップルを残し、平滑化されている。
Ｖ１の２つ目の山は、外部電源から異常な過電圧が供給され、Ｖ１が異常な過電圧になった様子を示している。Ｖ２は、これに追随して高くなるが、供給電圧検知部７４１が、監視電圧Ｖｏｆｆを上回る電圧を検知しタイミング制御部７４３に通知すると、タイミング制御部７４３は、駆動部７４４を駆動し（Ｖ３がＯｎからＯｆｆとなり）、接続部７３を遮断する。
【００５６】
接続部７３が遮断されると、コンデンサー７２は、電力出力部７５を介して接続された負荷により放電することで、徐々にその電圧（Ｖ２）が低くなる。一方、ピーク電圧を過ぎたＶ１は、徐々に電圧が下がり、やがて、監視電圧Ｖｏｆｆを下回る。供給電圧検知部７４１は、これを検知しタイミング制御部７４３に通知しているが、タイミング制御部７４３は、接続部７３の遮断状態を維持する。
【００５７】
タイミング制御部７４３は、更にＶ１の電圧が下がり基準電圧Ｖｄｅｆ２を下回った場合に、駆動部７４４を駆動し（Ｖ３がＯｆｆからＯｎからとなり）、接続部７３を接続する。
つまり、図６に示すように、Ｖ１が監視電圧Ｖｏｆｆを下回ったタイミングでのＶ２との電位差（ΔＶｄ＝ΔＶｄ１）では、接続部７３の接続を行わず、Ｖ１がＶｄｅｆ２を下回ったタイミングで接続部７３を接続する。Ｖ１が基準電圧Ｖｄｅｆ２を下回るまでの時間ｔｄ１が経過する中で、Ｖ１とＶ２との電位差は小さくなる（ΔＶｄ＝ΔＶｄ３）。
【００５８】
基準電圧Ｖｄｅｆ２は、基準電圧Ｖｄｅｆ１と同様にコンデンサー７２の定格電流、定格電圧、最大定格電圧などに基づき適宜設定するが、接続制御部７４ａの機能としては、ΔＶｄ３≒ΔＶｄ２＝Ｖｄｅｆ１（図４及び図６参照）となるように設定される。
あるいは、接続部７３にダイオード７６を付属させている場合には、基準電圧Ｖｄｅｆ２は、外部電源から供給される交流電圧のゼロクロスポイントを検出する電圧に設定する。つまり、Ｖ１が略零Ｖになるタイミングで接続部７３の接続が行われる。Ｖ１が零Ｖ付近の電圧においては、コンデンサー７２の電圧は、少なくともダイオード７６の順方向電圧を上回らない。まとめると、接続制御部７４ａが接続部７３を遮断状態にした後に、電力供給部７１から供給される電力の電圧が監視電圧Ｖｏｆｆを下回り、更に、所定の電圧を下回った場合に、接続制御部７４ａが接続部７３を接続状態に復帰させる。
【００５９】
本実施形態による電源装置によれば、接続制御部７４ａが接続部７３の接続を復帰する際、電力供給部７１から出力される電圧が監視電圧Ｖｏｆｆを下回り、更に、所定の電圧（基準電圧Ｖｄｅｆ２）を下回った場合に接続されるため、コンデンサー７２に対する突入電流が抑制され、コンデンサー７２や接続する回路にダメージを与えてしまうことを抑制することができる。
【００６０】
（実施形態３）
次に、実施形態３に係る電源装置について説明する。なお、説明にあたり、上述した実施形態と同一の構成部位については、同一の符号を使用し、重複する説明は省略する。
図７は、実施形態３に係る「電源装置」としての電源部７０ｂのブロック図である。
電源部７０ｂは、電力供給部７１、コンデンサー７２、接続部７３、接続制御部７４ｂ、電力出力部７５などから構成されている。つまり、接続制御部７４ｂの構成およびその機能が接続制御部７４と異なる点を除き、電源部７０ｂは、電源部７０と同じである。
【００６１】
接続制御部７４ｂは、コンデンサー電圧検知部７４２、タイミング制御部７４３ｂ、駆動部７４４などから構成されている。つまり、接続制御部７４ｂは、接続制御部７４が備えていた供給電圧検知部７４１を備えていない。また、接続制御部７４が備えていたタイミング制御部７４３に代わり、タイミング制御部７４３ｂを備えている。
【００６２】
電源部７０ｂは、接続制御部７４ｂが接続部７３の接続を遮断したときから所定の時間経過後に、接続制御部７４ｂが接続部７３の接続を復帰することを特徴としている。
【００６３】
図８は、電源部７０ｂ内の各部の電圧波形を示すグラフである。図８のグラフを参照して、接続制御部７４ｂの機能、すなわち、電力供給部７１とコンデンサー７２との電力接続方法を説明する。
【００６４】
Ｖ１の１つ目の山、および３つ目の山は、外部電源から正常な電圧の交流電力が供給された場合の正常な出力（コンデンサー７２に対する正常な入力）を示している。Ｖ２は、わずかなリップルを残し、平滑化されている。
Ｖ１の２つ目の山は、外部電源から異常な過電圧が供給され、Ｖ１が異常な過電圧になった様子を示している。Ｖ２は、これに追随して高くなるが、コンデンサー電圧検知部７４２が、監視電圧Ｖｏｆｆを上回る電圧を検知しタイミング制御部７４３ｂに通知すると、タイミング制御部７４３ｂは、駆動部７４４を駆動し（Ｖ３がＯｎからＯｆｆとなり）、接続部７３を遮断する。
【００６５】
接続部７３が遮断されると、コンデンサー７２は、電力出力部７５を介して接続された負荷により放電することで、徐々にその電圧（Ｖ２）が低くなる。一方、ピーク電圧を過ぎたＶ１は、徐々に電圧が下がり、やがて、監視電圧Ｖｏｆｆを下回る。
【００６６】
タイミング制御部７４３ｂは、計時機能を有し、遮断したときから所定の時間ｔｄ２が経過した後に、接続制御部７４ｂが接続部７３の接続を復帰する。
つまり、図８に示すように、所定の時間ｔｄ２が経過する中で、Ｖ１とＶ２との電位差は小さくなる（ΔＶｄ＝ΔＶｄ４）と見込まれるところで接続部７３の接続を復帰する。所定の時間ｔｄ２は、コンデンサー７２の定格電流、定格電圧、最大定格電圧などに基づき適宜設定するが、接続制御部７４ｂの機能としては、許容される電位差ΔＶｄ４が、ΔＶｄ４≦ΔＶｄ２（図４参照）＝Ｖｄｅｆ１となるように、予め、対応すべき外部電源の過電圧波形を考慮の上、設定する。まとめると、接続制御部７４ｂが接続部７３を遮断状態にしたときから所定の時間ｔｄ２経過後に、接続制御部７４ｂが接続部７３を接続状態に復帰させる。
【００６７】
本実施形態による電源装置によれば、接続制御部７４ｂが接続部７３の接続を復帰する際、遮断したときから所定の時間ｔｄ２が経過した後に電力供給部７１の出力とコンデンサー７２とが接続されるため、接続される電力供給部７１の出力とコンデンサー７２との電位差がより小さくなった状態でこれらの接続を行うことが可能となる。その結果、コンデンサー７２に対する突入電流が抑制され、コンデンサー７２や接続する回路にダメージを与えてしまうことを抑制することができる。
【００６８】
また、本実施形態によれば、電力供給部７１と接続部７３との間に電気的に接続される回路が無いため、外部電源から異常な過電圧が供給されることによるダメージを考慮した回路が不要となる。
【００６９】
なお、本発明は、上述した実施形態に限定されず、上述した実施形態に種々の変更や改良などを加えることが可能である。変形例を以下に述べる。ここで、上述した実施形態と同一の構成部位については、同一の符号を使用し、重複する説明は省略している。
【００７０】
（変形例１）
図９は、変形例１に係る「電源装置」としての電源部７０ｃのブロック図である。
上述した実施形態では、接続部７３は、電力供給部７１の出力とコンデンサー７２との電気的な接続および遮断が可能なＦＥＴであるとして説明した。つまり、接続部７３は、電力供給部７１の出力とコンデンサー７２とを接続する位置に設けられていたが、この構成に限定するものではなく、電力供給部７１とコンデンサー７２との共通のグランドラインを接続および遮断する位置に設けられていても良い。
【００７１】
電源部７０ｃは、電力供給部７１、コンデンサー７２、接続部７３ｃ、接続制御部７４ｃ、電力出力部７５などから構成されている。
接続部７３ｃは、電力供給部７１のグランド端とコンデンサー７２のグランド端との電気的な接続および遮断が可能なＦＥＴである。接続部７３ｃには、図９に示すように、コンデンサー７２から電力供給部７１に向かう方向が逆方向となるように、両端部に跨るダイオード７６を接続しても良い。
接続制御部７４ｃは、供給電圧検知部７４１、タイミング制御部７４３、駆動部７４４ｃなどから構成されている。
【００７２】
供給電圧検知部７４１は、電力供給部７１の出力電圧を検知し、タイミング制御部７４３に通知する。
タイミング制御部７４３は、供給電圧検知部７４１が検知した電力供給部７１の出力電圧、および、これらの電圧との比較制御を行うための基準電圧に基づき、駆動部７４４ｃの駆動タイミングを制御する。
駆動部７４４ｃは、接続部７３ｃが備えるＦＥＴのゲート電位を駆動する回路部であり、タイミング制御部７４３の制御に従い、接続部７３ｃの接続および遮断を行う。
【００７３】
タイミング制御部７４３は、供給電圧検知部７４１が検知した電力供給部７１の出力電圧（Ｖ１）が、監視電圧Ｖｏｆｆを上回った時に、駆動部７４４ｃを駆動し接続部７３ｃを遮断する。
また、電力供給部７１の出力電圧が監視電圧Ｖｏｆｆを下回った場合においても、接続制御部７４ｃが接続部７３ｃの遮断状態を継続し、更にＶ１の電圧が下がり基準電圧Ｖｄｅｆ２を下回った場合に、駆動部７４４ｃを駆動し、接続部７３ｃを接続する。
【００７４】
本変形例に係る電源装置によっても、上述した実施形態の効果と同様の効果を得ることができる。
【符号の説明】
【００７５】
１…ロール紙、２…装置本体、３…スタンド、１０…印刷部、１１…ヘッド、１２…ガイド軸、１３…キャリッジ、２０…搬送部、３０…記憶部、４０…制御部、４１…インターフェイス部、４２…ＣＰＵ、４３…メモリー、４４…駆動制御部、５０…操作パネル、６０…検出部、７０，７０ａ，７０ｂ，７０ｃ…電源部、７１…電力供給部、７２…コンデンサー、７３，７３ｃ…接続部、７４，７４ａ，７４ｂ，７４ｃ…接続制御部、７５…電力出力部、７６…ダイオード、１００…プリンター、７１１…ブリッジ整流回路、７１２…昇圧回路、７４１…供給電圧検知部、７４２…コンデンサー電圧検知部、７４３，７４３ｂ…タイミング制御部、７４４，７４４ｃ…駆動部。
【図１】
2017046370.tif 000003
【図２】
2017046370.tif 000004
【図３】
2017046370.tif 000005
【図４】
2017046370.tif 000006
【図５】
2017046370.tif 000007
【図６】
2017046370.tif 000008
【図７】
2017046370.tif 000009
【図８】
2017046370.tif 000010
【図９】
2017046370.tif 000011